(57)【要約】【課題】生体認証情報などの利用者特定情報に基づき、本人確認と同時に取引処理を決定し、取引の入力操作の簡略化を図る。【解決手段】ネットワークを介してホストに接続される取引装置であって、前記利用者を特定する利用者特定情報として、複数の情報を使用し、当該複数の利用者特定情報毎に取引処理を記憶する記憶手段を、自取引装置あるいは前記ホスト内に設け、前記複数の利用者特定情報を取得する手段１と、前記記憶手段を参照して、前記手段１で取得した利用者特定情報に基づく取引処理を実行する手段２とを有する。前記複数の利用者特定情報毎の取引処理を前記記憶手段に登録する手段２と、前記記憶手段に記録された、複数の利用者特定情報毎の取引処理を変更する手段３とを有する。【選択図】図２
2007133528.tif 000002
【特許請求の範囲】
【請求項１】
ネットワークを介してホストに接続される取引装置であって、
前記利用者を特定する利用者特定情報として、複数の情報を使用し、
当該複数の利用者特定情報毎に取引処理を記憶する記憶手段を、自取引装置あるいは前記ホスト内に設け、
前記複数の利用者特定情報を取得する手段１と、
前記記憶手段を参照して、前記手段１で取得した利用者特定情報に基づく取引処理を実行する手段２とを有することを特徴とする取引装置。
【請求項２】
前記複数の利用者特定情報毎の取引処理を前記記憶手段に登録する手段２と、
前記記憶手段に記録された、複数の利用者特定情報毎の取引処理を変更する手段３とを有することを特徴とする請求項１に記載の取引装置。
【請求項３】
前記複数の利用者特定情報は、利用者の親指静脈、人差し指静脈、中指静脈、薬指静脈、小指静脈、あるいは、掌静脈の生体認証情報を含むことを特徴とする請求項１または請求項２に記載の取引装置。
【発明の詳細な説明】
【技術分野】
【０００１】
本発明は、操作者が操作して行う取引装置に係り、特に、本人確認と同時に取引処理（取引入力／暗証番号入力／金額入力等）を決定し、取引の入力操作の簡略化および取引制限の解除を図った取引装置に関する。
【背景技術】
【０００２】
従来、利用者を特定する情報（以下、利用者特定情報という）として、掌静脈や指静脈等といった生体認証情報を使用することが、例えば、下記特許文献１に記載されている。生体認証情報を用いることで本人確認をより確実にできる。
【０００３】
なお、本願発明に関連する先行技術文献としては以下のものがある。
【特許文献１】特開２００５−１０７６６８号公報（生体認証方法及びプログラム並びに装置）
【発明の開示】
【発明が解決しようとする課題】
【０００４】
取引装置とホストとがネットワークを介して接続されたシステムにおいて、取引限度額の設定を、予めホスト（または、取引装置）に登録しておくことで不正利用された場合でも被害を最小限に抑える施策が取られている。
しかしながら、一度、取引限度額を、ホスト（または取引装置）に設定してしまうと、取引限度額を超えた取引ができず、窓口や取引装置などで取引限度額変更の手続きをしなければならないという不便さがあった。
本発明は、前記従来技術の問題点を解決するためになされたものであり、本発明の目的は、例えば、生体認証情報などの利用者特定情報に基づき、本人確認と同時に取引処理を決定し、取引の入力操作の簡略化を図った取引装置を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
前述の課題を解消するために、本発明は、ネットワークを介してホストに接続される取引装置であって、前記利用者を特定する利用者特定情報として、複数の情報を使用し、当該複数の利用者特定情報毎に取引処理を記憶する記憶手段を、自取引装置あるいは前記ホスト内に設け、前記複数の利用者特定情報を取得する手段１と、前記記憶手段を参照して、前記手段１で取得した利用者特定情報に基づく取引処理を実行する手段２とを有することを特徴とする。
また、本発明では、前記複数の利用者特定情報毎の取引処理を前記記憶手段に登録する手段２と、前記記憶手段に記録された、複数の利用者特定情報毎の取引処理を変更する手段３とを有する。
さらに、本発明では、前記複数の利用者特定情報は、利用者の親指静脈、人差し指静脈、中指静脈、薬指静脈、小指静脈、あるいは、掌静脈の生体認証情報を含む。
【０００６】
本発明の取引装置では、利用者特定情報により本人確認を確実に実行できた場合には、取引限度額を超えての取引も可能とする。
また、利用者特定情報に基づき本人確認を行うと同時に、例えば、１０本の指静脈などの生体認証情報に対して、取引種別や取引金額等について取引処理を対応付け、ホスト（または、取引装置）へ登録することで、取引装置での取引処理（取引入力／暗証番号入力／金額入力操作）の操作を省くことができる。
【発明の効果】
【０００７】
本願において開示される発明のうち代表的なものによって得られる効果を簡単に説明すれば、下記の通りである。
本発明の取引装置によれば、例えば、生体認証情報などの利用者特定情報に基づき、本人確認と同時に取引処理を決定し、取引の入力操作を簡略化することが可能となる。
【発明を実施するための最良の形態】
【０００８】
以下、図面を参照して本発明の実施例を詳細に説明する。
なお、実施例を説明するための全図において、同一機能を有するものは同一符号を付け、その繰り返しの説明は省略する。
図１は、本発明の実施例の取引装置が使用されるシステム構成を示すブロック図である。
同図に示すシステムは、本実施例の取引装置１と、取引装置１の制御を行うホスト２とで構成される。取引装置１とホスト２はネットワーク８を介して接続され、通信を行う。また、本実施例の取引装置１は、利用者との対話形式で取引を行う取引装置である。
図１−１は、図１に示す取引装置１の概略構成を示すブロック図である。
同図に示すように、取引装置１は、利用者が操作入力する部分である操作入力部４と、利用者に操作案内を行う表示部５と、利用者が持参した記録媒体を入力する媒体入力部６と、ネットワーク８に接続されホスト２と取引問合せ等を行う接続部７と、処理制御するプログラム等を記録している記憶部９と、取引装置１で利用者を特定するための指静脈読み取り部１３と、掌静脈読み取り部１４と、自動取引装置全体を制御する制御部３とから構成される。
図１−２は、図１に示すホスト２の概略構成を示すブロック図である。
同図に示すように、ホスト２は、ネットワーク８に接続される接続部１１と、制御部１０と、記憶部１２とから構成される。
取引装置１からの取引データは、取引装置１の接続部７、ネットワーク８を介してホスト２の接続部１１に通知される。この取引データの通知により、ホスト全体を制御する制御部１０が記録部１２に取引データを記憶する。
【０００９】
図２は、本実施例において、利用者特定情報として生体認証情報を用い、当該生体認証情報毎の取引処理（取引種別／取引金額／取引限度額の変更）の一例を説明するための図である。
図２に示す例では、親指静脈情報２０１は、取引種別が残高照会、人差し指静脈情報２０２は、取引種別が引き出しで取引金額は１万円、中指静脈情報２０３は、取引種別が預け入れで取引金額は３万円、薬指静脈情報２０４は、取引種別が振込で取引金額は５万円、あるいは、小指静脈情報２０５は、取引種別が振替で取引金額は１０万円であることを表す。
また、掌静脈情報２０６は、取引種別が引き出し限度額変更で取引金額は１００万円までに変更できることを示す。予め、ホストに登録する引き出し限度額を３０万円に設定しておいても、急遽、３０万円を超えた引き出し金額が必要となった場合、掌静脈情報２０６により本人確認ができれば１００万円までの引き出しが可能となる。
なお、本人確認である生体認証情報に基づき、取引種別／取引金額／取引限度額の変更は、その都度変更したい内容を取引することにより、ホスト側において、更新・登録できる。そして、更新・登録した取引処理は、次回以降の取引で使用可能である。
【００１０】
図２−１は、ホスト２の記憶部１２に記憶される、利用者特定情報と取引処理（取引種別／取引金額・限度額）を対応させて記憶する記憶テーブル２１０の内容を示す図である。
この記憶テーブル２１０には、予め、利用者特定情報である「カード／暗証番号２１１」と、「生体認証情報２１２」、および「その時の入力操作情報（取引種別２１３／取引金額２１４など）」を登録しておく。
次回からの取引からは、利用者特定情報である「カード／暗証番号」の入力操作は不要となり、本人確認である生体認証情報２１２（例えば、指静脈情報など）の読み込みのみで取引が可能となる。
図２−１において、利用者特定情報であるカード／暗証番号２１５で、生体認証情報２１６の登録がない場合、取引種別引き出し限度額２１７の取引限度額２１８が、不正引き出しされないために３０万円の登録である。この場合に、生体認証情報２１２が右手掌静脈の場合は、引き出し限度額１００万円であるので、右手掌静脈情報により本人確認できた場合には、１００万円までの引き出しが可能となる。
なお、図２−１において、生態認証の表は手のひら、裏は手の甲の部分を意味する。
【００１１】
図３は、本実施例における、指静脈情報による取引種別／取引金額登録、および現金引き出し取引処理を示すフローチャートである。
利用者は、取引装置１に取引種別「引き出し」を入力し（ステップ３０１）、さらに、カード挿入（ステップ３０２）、暗証番号入力（ステップ３０３）を行った後、取引装置１の指静脈読み取り部１３に指（例えば、人差し指）をセットする（ステップ３０４）。
取引装置１は、指静脈読み取り部１３にて指静脈情報を読み取る（ステップ３０５）。その後、利用者が、取引金額「１万円」が入力すると（ステップ３０６）、取引装置１は、それらの情報をホスト２に送信する（ステップ３０７）。
ここでは、本人認証＝「カード／暗証／指静脈情報」、取引種別＝「引き出し」、取引金額＝「１万円」をセットし、ホスト２に送信する。
ホスト２は、利用者特定情報と、その取引処理（取引種別＝「引き出し」、取引金額＝「１万円」）を記憶テーブル２１０へ登録する（ステップ３０８）。
次に、取引装置１は、取引種別＝「引き出し」、取引金額＝「１万円」を、ホスト２から受信し（ステップ３０９）、取引種別＝「引き出し」、取引金額＝「１万円」を表示する（ステップ３１０）。
そして、利用者が確認キーが押下すると（ステップ３１１）、取引装置１は、カードと明細票と現金１万円を排出する（ステップ３１２）。利用者は、カードと、明細票と、現金１万円を受取る（ステップ３１３）。
【００１２】
図４は、本実施例における、登録済の指静脈情報による現金引き出し取引処理を示すフローチャートである。
利用者は、取引装置１の指静脈読み取り部１３に指（例えば、人差し指）をセットする（ステップ４０１）。
取引装置１は、指静脈読み取り部１３にて指静脈情報を読み取り（ステップ４０２）、ＩＣカードに登録してある生体認証情報により、本人認証確認し（ステップ４０３）、その後、本人認証情報をホスト２へ送信する。（ステップ４０４）
ホスト２は、記憶テーブル２１０を参照し、本人認証情報（例えば、人差し指の指静脈）から、取引種別／取引金額を特定・算出し（ステップ４０５）、取引装置１に送信する。ここでは、取引種別として、「引き出し」を特定し、取引金額として、「１万円」を算出する。
取引装置１は、取引種別＝「引き出し」、取引金額＝「１万円」を表示する（ステップ４０７）。そして、利用者が、確認キーを押下すると（ステップ４０８）、取引装置１は、明細票と、現金１万円を排出する（ステップ４０９）。利用者は、明細票と現金１万円を受け取る（ステップ４１０）。
なお、図４のステップ４０３において、ＩＣカードに登録してある生体認証情報により本人確認を行う代わりに、ホスト２の記憶テーブル２１０に登録して生体認証情報により本人確認を行ってもよい。
【００１３】
図５は、本実施例における、カード／暗証での取引限度額登録処理を示すフローチャートである。
利用者は、取引装置１に、取引種別「取引限度額設定」を入力し（ステップ５０１）、さらに、カード挿入（ステップ５０２）、暗証番号入力（ステップ５０３）、取引限度額「３０万円」を入力する（ステップ５０４）。
取引装置１は、それらの情報をホスト２に送信する（ステップ５０５）。ここでは、本人情報＝「カード／暗証」、取引限度額＝「３０万円」が送信される。
ホスト２は、記憶テーブル２１０に、本人情報＝「カード／暗証」、取引限度額＝「３０万円」を登録し（ステップ５０６）、取引装置１に送信する（ステップ５０７）。
取引装置１は、取引限度額＝「３０万円」を表示する（ステップ５０８）。
利用者が、確認キーを押下すると（ステップ５０９）、取引装置１は、カード、明細票を排出する（ステップ５１０）。利用者は、カードと明細票を受取る（ステップ５１１）。
【００１４】
図６は、本実施例おける、掌静脈情報による取引限度額登録処理を示すフローチャートである。
利用者は、取引装置１に、取引種別「取引限度額設定」を入力し（ステップ６０１）、さらに、カード挿入（ステップ６０２）、暗証番号入力（ステップ６０３）を行った後、掌静脈読み取り部１４に掌をセットする（ステップ６０４）。
取引装置１は、掌静脈読み取り部１４にて、掌静脈情報を読み取り（ステップ６０５）、その後、利用者が取引限度額「１００万円」が入力すると（ステップ６０６）、それらの情報をホスト２へ送信する（ステップ６０７）。
ここでは、本人情報＝「カード／暗証」、本人認証＝「掌静脈情報」、取引限度額＝「１００万円」（ステップ６０７）を送信する。
ホスト２は、記憶テーブル２１０に、本人情報＝「カード／暗証」、本人認証＝「掌静脈情報」、取引限度額＝「１００万円」を登録し、取引装置１に送信する（ステップ６０８）。
取引装置１は、取引限度額＝「１００万円」を表示する（ステップ６０９）。そして、利用者が、確認キーを押下すると（ステップ６１０）、カードと明細票を排出する（ステップ６１１）。利用者は、カードと、明細票を受け取る（ステップ６１２）。
【００１５】
図７は、本実施例における、カード登録取引限度額を超えての掌静脈登録情報による取引限度額取引処理を示すフローチャートである。
利用者が、取引種別「引き出し」を入力し（ステップ７００）、カード使用（ステップ７０１）であれば、カード挿入（ステップ７０２）、暗証番号入力（ステップ７０３）を行った後、取引限度額「３０万円迄」で金額入力する（ステップ７０４）。
取引装置１は、それらの情報をホスト２へ送信する（ステップ７０５）。ここでは、本人認証＝「暗証番号」、取引限度額＝「３０万円迄」を送信する。
ホスト２は、予め登録してある暗証番号に基づき、本人確認を行った後に、記憶テーブル２１０を参照し、引き出す金額が、本人認証＝「暗証番号」の場合の取引限度額以内かを判断し（ステップ７０６）、取引装置１へ送信する（ステップ７０７）。
取引装置１は、取引金額を表示し、利用者が、確認キーを押下すると（ステップ７０８）、カードと明細票と現金を排出する（ステップ７０９）。利用者は、カードと明細票と現金を受取る（ステップ７１０）。
【００１６】
利用者が、取引種別「引き出し」を入力し（ステップ７００）、カード使用せず、掌静脈情報使用（ステップ７１１）であれば、掌静脈読み取り部１４に掌をセットする（ステップ７１２）。
取引装置１は、掌静脈読み取り部１４にて掌静脈情報を読み取る（ステップ７１３）。そして、利用者が、取引限度額「１００万円迄」で金額を入力すると（ステップ７１４）、それらの情報をホスト２へ送信する。
ここでは、本人認証＝「掌静脈情報」、取引限度額＝「１００万円迄」が送信される。ホスト２は、予め登録してある生体認証情報に基づき、本人確認を行った後に、記憶テーブル２１０を参照し、引き出す金額が、本人認証＝「掌静脈情報」の取引限度額以内かを判断し（ステップ７１６）、取引装置１へ送信する（ステップ７１７）。
取引装置１は、取引金額を表示し、利用者が、確認キーを押下すると（ステップ７１８）、明細票と現金を排出する（ステップ７１９）。利用者は、明細票と現金を受取る（ステップ７２０）。
【００１７】
なお、前述の説明において、利用者特定情報は、取引装置側の記憶部９に記憶してもよく、他の装置で情報を変更してもよい。更に、取引内容、取引金額／取引限度額等は利用者側にて設定することも可能である。
以上説明したように、本実施例によれば、生体認識情報などの利用者特定情報に基づき、本人確認と並行して、取引処理（例えば、取引種別／取引金額／取引限度額）を、ホスト側または取引装置内に登録し、次回以降、取引の入力操作を省略することが可能となる。
また、他の装置でも登録内容の変更ができ、利用者自身でも変更操作が可能となることから、オペレータなど他の人の介入が不要である。
このように、本実施例によれば、利用者特定情報により本人確認が行え、取引限度額の解除や特定の取引種別と取引金額をホスト２に登録、変更することで、特に、高齢者および視覚障害者の方による取引装置における、取引の入力操作（取引入力／暗証番号入力／金額入力操作など）を省けるため、入力操作ミスがなくなり短時間での取引が可能となる。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００１８】
【図１】本発明の実施例の取引装置が使用されるシステム構成を示すブロック図である。
【図１−１】図１に示す取引装置の概略構成を示すブロック図である。
【図１−２】図１に示すホストの概略構成を示すブロック図である。
【図２】本発明の実施例において、利用者特定情報として生体認証情報を用い、当該生体認証情報毎の取引処理（取引種別／取引金額／取引限度額の変更）の一例を説明するための図である。
【図２−１】図１に示すホストの記憶部に記憶される、利用者特定情報と取引処理（取引種別／取引金額・限度額）を対応させて記憶する記憶テーブルの内容を示す図である。
【図３】本発明の実施例における、指静脈情報による取引種別／取引金額登録、および現金引き出し取引処理を示すフローチャートである。
【図４】本発明の実施例における、登録済の指静脈情報による現金引き出し取引処理を示すフローチャートである。
【図５】本発明の実施例における、カード／暗証での取引限度額登録処理を示すフローチャートである。
【図６】本発明の実施例おける、掌静脈情報による取引限度額登録処理を示すフローチャートである。
【図７】本発明の実施例における、カード登録取引限度額を超えての掌静脈登録情報による取引限度額取引処理を示すフローチャートである。
【符号の説明】
【００１９】
１  取引装置
２  ホスト
３，１０  制御部
４  操作入力部
５  表示部
６  媒体入力部
７，１１  接続部
８  ネットワーク
９，１２  記憶部
１３  指静脈読み取り部
１４  掌静脈読み取り部
２０１  親指静脈情報
２０２  人差し指静脈情報
２０３  中指静脈情報
２０４  薬指静脈情報
２０５  小指静脈情報
２０６  掌静脈情報
２１０  記憶テーブル
２１１，２１５  カード／暗証番号
２１２，２１６  生体認証情報
２１３，２１７  取引種別
２１４，２１８  取引金額
【図１】
2007133528.tif 000003
【図１−１】
2007133528.tif 000004
【図１−２】
2007133528.tif 000005
【図２】
2007133528.tif 000006
【図２−１】
2007133528.tif 000007
【図３】
2007133528.tif 000008
【図４】
2007133528.tif 000009
【図５】
2007133528.tif 000010
【図６】
2007133528.tif 000011
【図７】
2007133528.tif 000012